(57)【要約】【課題】  架線と分岐電線との電気的な接続を一旦解除し、その後復旧するという作業を簡素化できる電線接続構造を提供する。【解決手段】  本発明に係る電線接続構造は、架線に分岐電線を接続する電線接続構造において、架線と分岐電線とを接続するコネクタと、コネクタを覆うように形成され、コネクタの少なくとも下方側又は側方側を開閉可能に構成される絶縁性のカバーとを備え、コネクタは、分岐電線を着脱可能に接続する電線接続部を備え、電線接続部は、分岐電線を電線接続部に接続する際に操作される操作部を、カバーに開放される部分に備える。【選択図】  図１０
2013243860.tif 000002
【特許請求の範囲】
【請求項１】
架線に分岐電線を接続する電線接続構造において、
架線と分岐電線とを接続するコネクタと、コネクタを覆うように形成され、コネクタの少なくとも下方側又は側方側を開閉可能に構成される絶縁性のカバーとを備え、
コネクタは、分岐電線を着脱可能に接続する電線接続部を備え、
電線接続部は、分岐電線を着脱する際に操作される操作部を、カバーに開放される部位に備える電線接続構造。
【請求項２】
カバーは、少なくとも下方側又は側方側を開放するカバー本体と、カバー本体の開放する部位を開閉する蓋体とを備え、
カバー本体は、架線に固定されるべく、架線又はコネクタを挟持する一対のカバー片を備える請求項１に記載の電線接続構造。
【請求項３】
カバーは、架線を掛止する本体部と、本体部に接続され、本体部を覆うカバー部とを備え、
カバー部は、架線に固定されるべく架線又はコネクタを挟持し且つコネクタを開放すべく離反される一対のカバー片を備える請求項１に記載の電線接続構造。
【発明の詳細な説明】
【技術分野】
【０００１】
本発明は、架線に分岐電線を接続する電線接続構造に関する。
【背景技術】
【０００２】
従来、架線（例えば、送電線等）に分岐電線（例えば、引下線等）を接続する電線接続構造として、架線と分岐電線とを接続するコネクタと、コネクタを覆う絶縁性のカバーとを備える電線接続構造が知られている（例えば、特許文献１）。斯かる電線接続構造においては、架線と分岐電線とをコネクタで接続し、その後、コネクタをカバーで覆うことにより、分岐電線を架線に接続し且つ該接続箇所を絶縁処理することができる。
【先行技術文献】
【特許文献】
【０００３】
【特許文献１】特開２００２−５６９４２号公報
【０００４】
ところで、特許文献１に係る電線接続構造において、例えば、分岐電線の下流側を停電させる際には、カバー、コネクタの順にそれぞれ架線から取り外し、コネクタを仮支持させる。そして、復旧させる際には、コネクタ、カバーの順にそれぞれ架線に取り付ける。したがって、架線と分岐電線との電気的な接続を一旦解除して、その後復旧するという作業が煩雑である。特に、絶縁操作棒等を使用する間接活線作業の場合には、斯かる作業が非常に煩雑である。
【発明の概要】
【発明が解決しようとする課題】
【０００５】
よって、本発明は、斯かる事情に鑑み、架線と分岐電線との電気的な接続を一旦解除し、その後復旧するという作業を簡素化できる電線接続構造を提供することを課題とする。
【課題を解決するための手段】
【０００６】
本発明に係る電線接続構造は、架線に分岐電線を接続する電線接続構造において、架線と分岐電線とを接続するコネクタと、コネクタを覆うように形成され、コネクタの少なくとも下方側又は側方側を開閉可能に構成される絶縁性のカバーとを備え、コネクタは、分岐電線を着脱可能に接続する電線接続部を備え、電線接続部は、分岐電線を着脱する際に操作される操作部を、カバーに開放される部位に備える。
【０００７】
本発明に係る電線接続構造によれば、コネクタには、分岐電線を着脱可能に接続する電線接続部が設けられ、電線接続部には、分岐電線を着脱する際に操作される操作部が設けられている。そして、架線と分岐電線との電気的な接続を一旦解除する際には、コネクタの少なくとも下方側又は側方側を開放し、カバーに開放される部位に設けられる操作部を操作することで、分岐電線を電線接続部から取り外す。
【０００８】
その後、復旧する際には、カバーに開放される部分に配置されている操作部を操作して、分岐電線を電線接続部に接続し、カバーの開放されている部位を閉塞する。したがって、例えば、架線の下方側や側方側から容易に作業することができるため、架線と分岐電線との電気的な接続を一旦解除し、その後復旧するという作業を簡素化できる。
【０００９】
また、本発明に係る電線接続構造において、カバーは、少なくとも下方側又は側方側を開放するカバー本体と、カバー本体の開放する部位を開閉する蓋体とを備え、カバー本体は、架線に固定されるべく、架線又はコネクタを挟持する一対のカバー片を備える構成でもよい。
【００１０】
斯かる構成によれば、カバーには、少なくとも下方側又は側方側を開放するカバー本体と、カバー本体の開放する部位を開閉する蓋体とが設けられている。そして、カバー本体には、架線又はコネクタを挟持する一対のカバー片が設けられているため、カバー本体が架線に固定された状態で、カバー本体の開放する部位を蓋体で開閉することができる。
【００１１】
また、本発明に係る電線接続構造において、カバーは、架線を掛止する本体部と、本体部に接続され、本体部を覆うカバー部とを備え、カバー部は、架線に固定されるべく架線又はコネクタを挟持し且つコネクタを開放すべく離反される一対のカバー片を備える構成でもよい。
【００１２】
斯かる構成によれば、カバーには、架線を掛止する本体部と、本体部に接続され、本体部を覆うカバー部とが設けられている。そして、カバー部には、一対のカバー片が設けられているため、一対のカバー片が架線又はコネクタを挟持することで、カバー部が架線に固定される。また、一対のカバー片が離反されることで、本体部が架線を掛止した状態で、コネクタが開放される。
【発明の効果】
【００１３】
以上の如く、本発明に係る電線接続構造によれば、架線と分岐電線との電気的な接続を一旦解除し、その後復旧するという作業を簡素化できるという優れた効果を奏する。
【図面の簡単な説明】
【００１４】
【図１】本発明の一実施形態に係る電線接続構造の全体正面図を示す。
【図２】同実施形態に係るコネクタの全体左側面図を示す。
【図３】同実施形態に係るコネクタの全体正面図を示す。
【図４】同実施形態に係るカバーの閉塞状態の全体正面図を示す。
【図５】同実施形態に係るカバーの開放状態の全体正面図を示す。
【図６】同実施形態に係るカバーの閉塞状態の全体左側面図を示す。
【図７】同実施形態に係るカバーの開放状態の全体左側面図を示す。
【図８】同実施形態に係るカバーの閉塞状態の全体右側面図を示す。
【図９】同実施形態に係るカバーの開放状態の全体右側面図を示す。
【図１０】同実施形態に係る電線接続構造の作業方法を説明する全体正面図を示す。
【図１１】同実施形態に係る電線接続構造の作業方法を説明する全体正面図を示す。
【図１２】本発明の他の実施形態に係る電線接続構造の全体正面図を示す。
【図１３】同実施形態に係る電線接続構造の閉塞状態の全体左側面図を示す。
【図１４】同実施形態に係る電線接続構造の閉塞状態の全体正面図を示す。
【図１５】同実施形態に係る電線接続構造の図１４のXV−XV線断面図を示す。
【図１６】同実施形態に係る本体部の全体斜視図を示す。
【図１７】同実施形態に係る電線接続構造の開放状態の全体左側面図を示す。
【図１８】同実施形態に係る電線接続構造の開放状態の全体正面図を示す。
【図１９】同実施形態に係る電線接続構造の作業方法を説明する全体正面図を示す。
【図２０】同実施形態に係る電線接続構造の作業方法を説明する全体正面図を示す。
【発明を実施するための形態】
【００１５】
以下、本発明に係る電線接続構造における第１の実施形態について、図１〜図１１を参酌して説明する。
【００１６】
図１に示すように、本実施形態に係る電線接続構造１は、架線Ｘと分岐電線Ｙとを電気的に接続するコネクタ２と、コネクタ２を覆うように形成されるカバー３とを備える。ここで、電線接続構造１の各構成を説明するのに先立って、架線Ｘ及び分岐電線Ｙについて説明する。
【００１７】
架線Ｘは、本実施形態において、電柱（図示していない）間に架設される高圧送電線としている。そして、架線Ｘは、被覆材Ｘ１を剥がされて芯線Ｘ２を一部露出されている。また、分岐電線Ｙは、本実施形態において、下流側に柱上変圧器（図示していない）等を接続する高圧引下線としている。そして、分岐電線Ｙは、板状の端子Ｙ１を端部に備えている。
【００１８】
コネクタ２は、図１及び図２に示すように、架線Ｘを着脱可能に接続する架線接続部２１と、分岐電線Ｙを着脱可能に接続する電線接続部２２とを備えている。なお、コネクタ２は、導電性を有して形成され、架線Ｘと分岐電線Ｙとを電気的に接続している（導通させている）。
【００１９】
架線接続部２１は、コネクタ本体２１１と、コネクタ本体２１１に枢着されている可動体２１２とを備えている。また、架線接続部２１は、コネクタ本体２１１と可動体２１２とを固定する固定手段（ボルト）２１３を備えている。そして、架線接続部２１は、露出されている芯線Ｘ２の部位で架線Ｘを接続している。
【００２０】
コネクタ本体２１１と可動体２１２とは、架線Ｘを挟持する凹状の挟持部２１１ａ，２１２ａを備えている。また、可動体２１２は、絶縁操作棒等に把持される板状で且つ凹凸状の表面である把持部２１２ｂを備えている。そして、固定手段２１３は、操作されることにより、一対の挟持部２１１ａ，２１２ａを接離させる。
【００２１】
電線接続部２２は、分岐電線Ｙを着脱する際に操作される操作部２２１を備えている。また、電線接続部２２は、操作部２２１が操作されることで、分岐電線Ｙを挟持する一対の挟持部２２２，２２３を備えている。そして、電線接続部２２は、分岐電線Ｙの端子Ｙ１を接続している。
【００２２】
操作部２２１は、コネクタ２の下部に配置されている。そして、本実施形態において、操作部２２１は、ボルトとしている。
【００２３】
カバー３は、図１及び図４〜図９に示すように、下方側及び一側方側を開放するカバー本体３１と、カバー本体３１の開放する部位を開閉する蓋体３２とを備えている。なお、カバー３は、絶縁性を有して形成され、架線Ｘの芯線Ｘ２、分岐電線Ｙの端子Ｙ１及びコネクタ２の表面側を絶縁処理している。
【００２４】
また、カバー３は、カバー本体３１に枢着されている蓋体３２が回動することにより、コネクタ２の下方側及び一側方側を開閉可能に構成されている。これにより、蓋体３２が回動し、カバー本体３１の下方側及び一側方側が開放されると、電線接続部２２の操作部２２１が開放されることになる。
【００２５】
カバー本体３１は、架線Ｘに固定されるべく、架線Ｘを挟持する一対のカバー片３１１，３１２を備えている。また、カバー本体３１は、一対のカバー片３１１，３１２の上部同士を枢着する第１の枢着部３１３，３１３と、第１カバー片３１１の下部と蓋体３２の端部とを枢着する第２の枢着部３１４とを備えている。
【００２６】
一対のカバー片３１１，３１２は、互いに係合する第１の係合部３１１ａ，３１２ａと、第１の係合部３１１ａ，３１２ａが係合することで、互いに架線Ｘを挟持する第１の挟持部３１１ｂ，３１２ｂとを備える。また、一対のカバー片３１１，３１２は、蓋体３２と係合する第２の係合部３１１ｃ，３１２ｃと、蓋体３２とで架線Ｘを挟持する第２の挟持部３１１ｄ，３１２ｄとを備えている。
【００２７】
蓋体３２は、第１カバー片３１１の下部と枢着する枢着部３２１を他端部に備えていると共に、各カバー片３１１，３１２の第２係合部３１１ｃ，３１２ｃと係合する係合部３２２，３２２を一端部に備えている。また、蓋体３２は、分岐電線Ｙを支持する角部を鈍角とするように傾斜部３２３を一端部に備えている。そして、蓋体３２は、カバー本体３１の各第２挟持部３１１ｄ，３１２ｄと架線Ｘを挟持する挟持部３２４を一端部に備えている。
【００２８】
本実施形態に係る電線接続構造１の構成については以上の通りであり、次に、本実施形態に係る電線接続構造１における作業方法について、図１及び図１０〜図１１を参酌して説明する。具体的には、架線Ｘと分岐電線Ｙとの電気的な接続を一旦解除し、その後復旧するという作業方法について説明する。なお、以下の作業について、作業者は、高所作業車のバケットに乗り、絶縁操作棒を使用して作業している。
【００２９】
まず、電線接続構造１においては、図１に示すように、架線Ｘと分岐電線Ｙとがコネクタ２に接続されており、また、架線Ｘの芯線Ｘ２、分岐電線Ｙの端子Ｙ１及びコネクタ２がカバー３で覆われている。このとき、カバー３は、架線Ｘを挟持して固定していると共に、蓋体３２の傾斜部３２３で、分岐電線Ｙを屈曲することなく支持している。
【００３０】
そして、架線Ｘと分岐電線Ｙとの電気的な接続を一旦解除するために、まず、カバー本体３１の各第２係合部３１１ｃ、３１２ｃと蓋体３２の係合部３２２との係合を解除する。すると、蓋体３２が自重により回動するため、図１０に示すように、カバー３の下方側及び一側方側が開放される。
【００３１】
これにより、コネクタ２の下方側及び一側方側が開放されるため、コネクタ２の下部に配置されている操作部２２１が開放される。そして、下方側から操作部２２１を操作することで、図１１に示すように、分岐電線Ｙの端子Ｙ１が電線接続部２２から取り外される。その後、復旧する際には、反対の手順で行う。
【００３２】
以上より、本実施形態に係る電線接続構造１は、架線Ｘに分岐電線Ｙを接続する電線接続構造１において、架線Ｘと分岐電線Ｙとを接続するコネクタ２と、コネクタ２を覆うように形成され、コネクタ２の下方側及び一側方側を開閉可能に構成される絶縁性のカバー３とを備え、コネクタ２は、分岐電線Ｙを着脱可能に接続する電線接続部２２を備え、電線接続部２２は、分岐電線Ｙを着脱する際に操作される操作部２２１を、カバー３に開放されるコネクタ２の下部に備える。
【００３３】
したがって、本実施形態に係る電線接続構造１によれば、コネクタ２には、分岐電線Ｙを着脱可能に接続する電線接続部２２が設けられ、電線接続部２２には、分岐電線Ｙを着脱する際に操作される操作部２２１が設けられている。そして、架線Ｘと分岐電線Ｙとの電気的な接続を一旦解除する際には、コネクタ２の下方側及び一側方側を開放し、カバー３に開放されたコネクタ２の下部に設けられる操作部２２１を操作することで、分岐電線Ｙを電線接続部２２から取り外す。
【００３４】
その後、復旧する際には、開放されている操作部２２１を操作して、分岐電線Ｙを電線接続部２２に接続し、カバー３の開放されている部位を閉塞する。したがって、架線Ｘの下方側や側方側から容易に作業することができるため、高所作業車のバケットに乗り且つ絶縁操作棒を使用して作業したとしても、架線Ｘと分岐電線Ｙとの電気的な接続を一旦解除し、その後復旧するという作業を簡素化することができる。
【００３５】
また、本実施形態に係る電線接続構造１において、カバー３は、下方側及び一側方側を開放するカバー本体３１と、カバー本体３１の開放する部位を開閉する蓋体３２とを備え、カバー本体３１は、架線Ｘに固定されるべく、架線Ｘを挟持する一対のカバー片３１１，３１２を備えている。
【００３６】
したがって、本実施形態に係る電線接続構造１によれば、カバー３には、下方側及び一側方側を開放するカバー本体３１と、カバー本体３１の開放する部位を開閉する蓋体３２とが設けられている。そして、カバー本体３１には、架線Ｘを挟持する一対のカバー片３１１，３１２が設けられているため、カバー本体３１が架線Ｘに固定された状態で、カバー本体３１の開放する部位を蓋体３２で開閉することができる。
【００３７】
次に、本発明に係る電線接続構造における第２の実施形態について、図１２〜図２０を参酌して説明する。なお、図１２〜図２０において、図１〜図１１の符号と同一の符号を付した部分は、第１実施形態と同一の構成又は要素を表し、その説明を繰り返さない。
【００３８】
本実施形態に係る電線接続構造５は、架線Ｘと分岐電線Ｙとを電気的に接続するコネクタ２と、コネクタ２を覆うように形成されるカバー６とを備える。なお、本実施形態に係る電線接続構造５は、第１実施形態に係る電線接続構造１に対して、カバー６の構成で相違している。
【００３９】
カバー６は、架線Ｘを掛止する本体部６１と、本体部６１を覆うカバー部６２と、本体部６１とカバー部６２とを接続する接続部６３とを備えている。なお、カバー６は、絶縁性を有して形成され、架線Ｘの芯線Ｘ２、分岐電線Ｙの端子Ｙ１及びコネクタ２の表面側を絶縁処理している。
【００４０】
本体部６１は、一対の本体片６１１，６１２と、一対の本体片６１１，６１２の上部同士を枢着する枢着部６１３，６１３とを備えている。そして、本体部６１は、下方側が開放するように、即ち、コネクタ２の電線接続部２２の操作部２２１が下方側から操作できるように構成されている。
【００４１】
本体片６１１，６１２は、下部同士を係合する係合部６１１ａ，６１２ａと、下部から外方に突出し、カバー部６２に係止される被係止部６１１ｂ，６１２ｂとを備えている。そして、本体部６１は、一対の本体片６１１，６１２が係合部６１１ａ，６１２ａで係合することで環状になり、挿通される架線Ｘを抜け止めするように、即ち、挿通される架線Ｘを掛止するように構成されている。
【００４２】
カバー部６２は、架線Ｘに固定されるべく、架線Ｘを挟持する一対のカバー片６２１，６２２と、一対のカバー片６２１，６２２の上部同士を枢着する枢着部６２３，６２３とを備えている。そして、カバー部６２は、一対のカバー片６２１，６２２が離反することで、コネクタ２を開放するように構成されている。
【００４３】
一対のカバー片６２１，６２２は、互いに係合する複数の係合部６２１ａ，６２２ａ，…を備えている。また、一対のカバー片６２１，６２２は、係合部６２１ａ，６２２ａが係合することで、互いに架線Ｘを挟持する一対の挟持部６２１ｂ，６２１ｂ，６２２ｂ，６２２ｂを備えている。
【００４４】
そして、一対のカバー片６２１，６２２は、係合部６２１ａ，６２２ａが係合した際に、本体片６１１，６１２の被係止部６１１ｂ，６１２ｂを係止する凹状の係止部６２１ｃ，６２２ｃを内部に備えている。さらに、一対のカバー片６２１，６２２は、分岐電線Ｙを支持する角部を鈍角とするように傾斜部６２１ｄ，６２２ｄを一端部に備えている。
【００４５】
本実施形態に係る電線接続構造５の構成については以上の通りであり、次に、本実施形態に係る電線接続構造５における作業方法について、図１２及び図１９〜図２０を参酌して説明する。具体的には、架線Ｘと分岐電線Ｙとの電気的な接続を一旦解除し、その後復旧するという作業方法について説明する。なお、以下の作業について、作業者は、高所作業車のバケットに乗り、絶縁操作棒を使用して作業している。
【００４６】
まず、電線接続構造５においては、図１２に示すように、架線Ｘと分岐電線Ｙとがコネクタ２に接続されており、また、架線Ｘの芯線Ｘ２、分岐電線Ｙの端子Ｙ１及びコネクタ２がカバー６で覆われている。このとき、カバー６は、架線Ｘを挟持して固定していると共に、カバー部６２の傾斜部６２１ｄ，６２２ｄで、分岐電線Ｙを屈曲することなく支持している。
【００４７】
そして、架線Ｘと分岐電線Ｙとの電気的な接続を一旦解除するために、まず、一対のカバー片６２１，６２２の各係合部６２１ａ，６２２ａの係合を解除する。そして、各カバー片６２１，６２２が上方に位置するように、各カバー片６２１，６２２を回動さて離反させると、図１９に示すように、コネクタ２の下方側及び側方側が開放される。
【００４８】
また、本体部６１もコネクタ２の下方側及び側方側を開放しているため、コネクタ２の下部に配置されている操作部２２１が開放される。このとき、本体部６１が架線Ｘを掛止しているため、カバー６が架線Ｘから落下することを防止している。そして、下方側から操作部２２１を操作することで、図２０に示すように、分岐電線Ｙの端子Ｙ１が電線接続部２２から取り外される。その後、復旧する際には、反対の手順で行う。
【００４９】
以上より、本実施形態に係る電線接続構造５は、架線Ｘに分岐電線Ｙを接続する電線接続構造５において、架線Ｘと分岐電線Ｙとを接続するコネクタ２と、コネクタ２を覆うように形成され、コネクタ２の下方側及び側方側を開閉可能に構成される絶縁性のカバー６とを備え、コネクタ２は、分岐電線Ｙを着脱可能に接続する電線接続部２２を備え、電線接続部２２は、分岐電線Ｙを着脱する際に操作される操作部２２１を、カバー６に開放されるコネクタ２の下部に備える。
【００５０】
したがって、本実施形態に係る電線接続構造５によれば、コネクタ２には、分岐電線Ｙを着脱可能に接続する電線接続部２２が設けられ、電線接続部２２には、分岐電線Ｙを着脱する際に操作される操作部２２１が設けられている。そして、架線Ｘと分岐電線Ｙとの電気的な接続を一旦解除する際には、コネクタ２の下方側及び側方側を開放し、カバー６に開放されるコネクタ２の下部に設けられる操作部２２１を操作することで、分岐電線Ｙを電線接続部２２から取り外す。
【００５１】
その後、復旧する際には、カバー６に開放される部分に配置されている操作部２２１を操作して、分岐電線Ｙを電線接続部２２に接続し、カバー６で開放した部位、即ち、コネクタ２の下方側及び側方側を閉塞する。したがって、架線Ｘの下方側や側方側から容易に作業することができるため、高所作業車のバケットに乗り且つ絶縁操作棒を使用して作業したとしても、架線Ｘと分岐電線Ｙとの電気的な接続を一旦解除し、その後復旧するという作業を簡素化することができる。
【００５２】
また、本実施形態に係る電線接続構造５において、カバー６は、架線Ｘを掛止する本体部６１と、本体部６１に接続され、本体部６１を覆うカバー部６２とを備え、カバー部６２は、架線Ｘに固定されるべく架線Ｘを挟持し且つコネクタ２を開放すべく離反される一対のカバー片６２１，６２２を備えている。
【００５３】
したがって、本実施形態に係る電線接続構造５によれば、カバー６には、架線Ｘを掛止する本体部６１と、本体部６１に接続され、本体部６１を覆うカバー部６２とが設けられている。そして、カバー部６２には、一対のカバー片６２１，６２２が設けられているため、一対のカバー片６２１，６２２が架線Ｘを挟持することで、カバー部６２が架線Ｘに固定される。また、一対のカバー片６２１，６２２が離反されることで、本体部６１が架線Ｘを掛止した状態で、コネクタ２が開放される。
【００５４】
なお、本発明に係る電線接続構造は、上記した実施の形態に限定されるものではなく、本発明の要旨を逸脱しない範囲内において種々変更を加え得ることは勿論である。また、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５５】
まず、上記第１及び第２実施形態に係る構成は、操作部２２１がコネクタ２の下部に配置される構成であるが、斯かる構成に限られない。例えば、本発明に係る構成は、操作部がコネクタの側部に配置される構成でもよく、要するに、操作部を下方側又は側方側から操作できるように、カバーを開放した際に開放される位置に、操作部が配置されている構成であればよい。
【００５６】
また、上記第１及び第２実施形態に係る構成は、カバー片３１１，３１２（６２１，６２２）が架線Ｘを挟持することで架線Ｘに固定される構成であるが、斯かる構成に限られない。例えば、本発明に係る構成は、カバー片がコネクタを挟持することで架線Ｘに固定される構成でもよい。
【００５７】
また、上記第１及び第２実施形態に係る構成は、コネクタ２とカバー３，６とが分離されている構成であるが、斯かる構成に限られない。例えば、本発明に係る構成は、コネクタとカバーとが連結されて一体である構成でもよい。
【００５８】
また、上記第２実施形態に係る構成は、本体部６１が架線Ｘに引っ掛かる（吊り下がる）構成であるが、斯かる構成に限られない。例えば、本発明に係る構成は、本体部が架線に固定される構成でもよい。
【符号の説明】
【００５９】
１…電線接続構造、２…コネクタ、３…カバー、５…電線接続構造、６…カバー、２１…架線接続部、２２…電線接続部、３１…カバー本体、３２…蓋体、６１…本体部、６２…カバー部、６３…接続部、３１１…カバー片、３１２…カバー片、６２１…カバー片、６２２…カバー片、Ｘ…架線、Ｙ…分岐電線
【図１】
2013243860.tif 000003
【図２】
2013243860.tif 000004
【図３】
2013243860.tif 000005
【図４】
2013243860.tif 000006
【図５】
2013243860.tif 000007
【図６】
2013243860.tif 000008
【図７】
2013243860.tif 000009
【図８】
2013243860.tif 000010
【図９】
2013243860.tif 000011
【図１０】
2013243860.tif 000012
【図１１】
2013243860.tif 000013
【図１２】
2013243860.tif 000014
【図１３】
2013243860.tif 000015
【図１４】
2013243860.tif 000016
【図１５】
2013243860.tif 000017
【図１６】
2013243860.tif 000018
【図１７】
2013243860.tif 000019
【図１８】
2013243860.tif 000020
【図１９】
2013243860.tif 000021
【図２０】
2013243860.tif 000022